(57)【要約】【課題】  簡単な操作で出費金額を集計できるようにする。【解決手段】  ＰＯＳ端末の操作部に、個々の利用者を特定するための個人識別情報と、この個人識別情報によって特定される利用者についての売上情報の入力が受け付けられると（Ｐ１，Ｐ２）、情報送信部が当該売上情報と個人識別情報とを関連付けてサーバに送信する（Ｐ３）。サーバでは、情報受信部によって受信された当該売上情報が、集計部によって当該個人識別情報で特定される利用者毎に集計される（ＳＶ１乃至ＳＶ３）。複合機では、操作部でパスワードの入力が受け付けられると（Ｆ１）、売上情報送信指示送信部が、利用者判別部によって当該パスワードから判別された特定の利用者の売上情報の集計結果の送信指示をサーバに送信し（Ｆ２，Ｆ３）、当該集計結果送信指示に対応する売上情報の集計結果を集計結果受信部がサーバの集計結果送信部から受信する（Ｆ４）。【選択図】      図５
2005157798.tif 000002
【特許請求の範囲】
【請求項１】
通信端末機器と、画像形成装置と、これら通信端末機器及び画像形成装置にネットワーク接続されたコンピュータとを備えるデータ通信システムであって、
前記通信端末機器は、外部操作による個々の利用者を特定するための個人識別情報の入力を受け付ける識別情報受付手段と、この識別情報受付手段に入力された個人識別情報によって特定される利用者についての売上情報の外部操作による入力を受け付ける売上情報受付手段と、売上情報受付手段に入力された売上情報と、識別情報受付手段で受け付けられた個人識別情報とを関連付けて、ネットワーク上のコンピュータに送信する情報送信手段とを有し、
前記コンピュータは、上記通信端末機器から売上情報及びこれに関連付けられた個人識別情報を受信する情報受信手段と、この情報受信手段によって前記通信端末機器の情報送信手段から受信された売上情報を上記個人識別情報によって特定される利用者毎に集計する集計手段と、上記画像形成装置から上記情報受信手段が受信した売上情報送信指示に対応する利用者の前記集計手段による売上情報の集計結果を当該画像形成装置に送信する集計結果送信手段とを有し、
前記画像形成装置は、外部操作によるパスワードの入力を受け付けるパスワード受付手段と、パスワード受付手段で受け付けられたパスワードに基づいて特定の利用者を判別する利用者判別手段と、この利用者判別手段によって判別された利用者の売上情報の集計結果の送信指示を上記コンピュータに送信する集計結果送信指示送信手段と、この集計結果送信指示送信手段から上記コンピュータに送信された集計結果送信指示に対応する売上情報の集計結果を当該コンピュータの集計結果送信手段から受信する集計結果受信手段とを有することを特徴とするデータ通信システム。
【請求項２】
前記通信端末機器は、前記売上情報と共に、利用日情報、利用月情報又は利用場所情報を記憶する日時記憶手段を備え、前記情報送信手段は、前記売上情報と共に、前記日時記憶手段に記憶される利用日情報、利用月情報又は利用場所情報のうち少なくとも１つ以上の情報を前記コンピュータに送信し、
前記コンピュータの集計手段は、前記利用者毎の売上情報を、前記情報受信手段が前記通信端末機器の情報送信手段から受信した利用日情報、利用月情報又は利用場所情報別に集計することを特徴とする請求項１に記載のデータ通信システム。
【請求項３】
画像形成装置と、これにネットワーク接続されたコンピュータとからなるデータ通信システムであって、
前記画像形成装置は、外部操作によるパスワードの入力を受け付けるパスワード受付手段と、パスワード受付手段で受け付けられたパスワードから特定の利用者を判別する利用者判別手段と、原稿上の画像を読み取る画像読取手段と、前記画像読取手段によって読み取られた画像を文字データに変換するデータ変換手段と、データ変換手段によって変換された文字データに所定の記号が含まれるかを判断し、所定の記号が含まれる場合には、この記号に続く数字データに、前記利用者判別手段によって判別された利用者を特定するためのＩＤ情報を付して、ネットワーク接続されたコンピュータに送信する各種情報送信手段とを有し、
前記コンピュータは、前記画像形成装置の各種情報送信手段から前記数字データ及びＩＤ情報を受信する情報受信手段と、この情報受信手段によって受信された前記数字データを前記ＩＤ情報によって特定される利用者毎に集計する集計手段と、この集計手段によって集計された利用者毎の集計結果を前記画像形成装置に送信する集計結果送信手段とを有し、
前記画像形成装置は、前記コンピュータの集計結果送信手段から、前記集計手段によって集計された利用者毎の集計結果を受信する集計結果受信手段を備えたことを特徴とするデータ通信システム。
【請求項４】
前記画像形成装置の画像読取手段は第１及び第２の画像読取位置を備え、前記データ変換手段は、前記画像読取手段によって読み取られた第１画像読取位置の画像データを文字データに変換し、前記各種情報送信手段は、このデータ変換手段によって変換された文字データに含まれる数字データに、前記画像読取手段によって読み取られた第２画像読取位置の画像のデータを関連付けて前記コンピュータに送信し、
前記コンピュータは、前記情報受信手段によって前記画像形成装置から受信された第２画像読取位置の画像のデータが、予め登録されている複数の画像のデータの中でいずれに一致するかを判別する画像判別手段を備え、前記集計手段は、利用者毎に集計した数字データを、更に該画像判別手段によって判別された画像別に集計することを特徴とする請求項３に記載のデータ通信システム。
【請求項５】
前記画像形成装置は、前記集計結果受信手段によって受信された集計結果を印刷する印刷手段を備えたことを特徴とする請求項１乃至４のいずれかに記載のデータ通信システム。
【請求項６】
前記画像形成装置は、前記集計結果受信手段によって受信された集計結果を外部接続された通信機器に出力するデータ出力手段を備えたことを特徴とする請求項１乃至請求項５に記載のデータ通信システム。
【請求項７】
前記画像形成装置は、前記集計結果受信手段によって受信された集計結果を表示する表示手段を備えたことを特徴とする請求項１乃至請求項６のいずれかに記載のデータ通信システム。
【請求項８】
前記画像形成装置は、前記表示手段に表示されている集計結果を修正する修正データの外部操作による入力を受け付ける修正データ入力手段を備えたことを特徴とする請求項７に記載のデータ通信システム。
【請求項９】
外部操作によるパスワードの入力を受け付けるパスワード受付手段と、パスワード受付手段で受け付けられたパスワードから特定の利用者を判別する利用者判別手段と、原稿上の画像を読み取る画像読取手段と、前記画像読取手段によって読み取られた画像を文字データに変換するデータ変換手段と、データ変換手段によって変換された文字データに所定の記号が含まれる場合に、この記号に続く数字データに、前記利用者判別手段によって判別された利用者を特定するためのＩＤ情報を付して、ネットワーク接続されたコンピュータに対して送信する各種情報送信手段と、この各種情報送信手段から前記コンピュータに送信した利用者毎の数字データの集計結果を当該コンピュータから受信する集計結果受信手段とを備えたことを特徴とする画像形成装置。
【請求項１０】
前記集計結果受信手段によって受信された集計結果を印刷する印刷手段を更に備えたことを特徴とする請求項９に記載の画像形成装置。
【請求項１１】
前記集計結果受信手段によって受信された集計結果を、外部接続された通信機器に出力するデータ出力手段を更に備えたことを特徴とする請求項９又は請求項１０に記載の画像形成装置。
【請求項１２】
前記集計結果受信手段によって受信された集計結果を表示する表示手段を更に備えたことを特徴とする請求項９乃至請求項１１のいずれかに記載の画像形成装置。
【請求項１３】
前記表示手段に表示されている集計結果を修正する修正データが外部操作によって入力される修正データ入力手段を備えたことを特徴とする請求項１２に記載の画像形成装置。
【発明の詳細な説明】
【技術分野】
【０００１】
本発明は、商品又はサービスを購入した利用者毎に売上情報を集計するデータ通信システム及び画像形成装置に関する。
【背景技術】
【０００２】
従来、生活費等の出費額を集計する場合、店舗で買い物後に受け取るレシートに印字された金額を読み取って手動でコンピュータに入力するか、電卓を使用して計算した金額を帳面等に書き込んで家計簿を作成することが行われていた。また、書面に印字された画像を光学的に読み取って、読み取った画像を加工して保存できる画像形成装置としては、特許文献１に示されるものがある。
【特許文献１】特開２００２−２７１６０５号公報
【発明の開示】
【発明が解決しようとする課題】
【０００３】
しかし、上記のように、店舗で買物後に受け取るレシートに印字された金額を読み取って手動でコンピュータに入力する場合や、電卓を使用して計算した金額を帳面等に書き込んで家計簿を作成する場合は、コンピュータへのデータ入力作業や、計算及び帳面書き込み作業が面倒である。また、上記特許文献１に示される画像形成装置では、出費額の集計をすることは不可能である。
【０００４】
本発明は、上記問題を解決するためになされたもので、簡単な操作で出費金額を集計することができるデータ通信システム及び画像形成装置を提供することを目的とするものである。
【課題を解決するための手段】
【０００５】
本発明の請求項１に記載の発明は、通信端末機器と、画像形成装置と、これら通信端末機器及び画像形成装置にネットワーク接続されたコンピュータとを備えるデータ通信システムであって、
前記通信端末機器は、外部操作による個々の利用者を特定するための個人識別情報の入力を受け付ける識別情報受付手段と、この識別情報受付手段に入力された個人識別情報によって特定される利用者についての売上情報の外部操作による入力を受け付ける売上情報受付手段と、売上情報受付手段に入力された売上情報と、識別情報受付手段で受け付けられた個人識別情報とを関連付けて、ネットワーク上のコンピュータに送信する情報送信手段とを有し、
前記コンピュータは、上記通信端末機器から売上情報及びこれに関連付けられた個人識別情報を受信する情報受信手段と、この情報受信手段によって前記通信端末機器の情報送信手段から受信された売上情報を上記個人識別情報によって特定される利用者毎に集計する集計手段と、上記画像形成装置から上記情報受信手段が受信した売上情報送信指示に対応する利用者の前記集計手段による売上情報の集計結果を当該画像形成装置に送信する集計結果送信手段とを有し、
前記画像形成装置は、外部操作によるパスワードの入力を受け付けるパスワード受付手段と、パスワード受付手段で受け付けられたパスワードに基づいて特定の利用者を判別する利用者判別手段と、この利用者判別手段によって判別された利用者の売上情報の集計結果の送信指示を上記コンピュータに送信する集計結果送信指示送信手段と、この集計結果送信指示送信手段から上記コンピュータに送信された集計結果送信指示に対応する売上情報の集計結果を当該コンピュータの集計結果送信手段から受信する集計結果受信手段とを有するものである。
【０００６】
この構成では、通信端末機器の識別情報受付手段に、個々の利用者を特定するための個人識別情報の入力が受け付けられ、この個人識別情報によって特定される利用者についての売上情報の入力が売上情報受付手段に受け付けられると、情報送信手段によって、これら売上情報と個人識別情報とが関連付けられてネットワーク上のコンピュータに送信される。このコンピュータにおいては、情報受信手段によって受信された当該売上情報が集計手段によって、この個人識別情報で特定される利用者毎に集計される。画像形成装置では、パスワード受付手段にパスワードの入力が受け付けられると、売上情報送信指示送信手段が、利用者判別手段によって当該パスワードから判別された特定の利用者の売上情報の集計結果の送信指示をコンピュータに対して送信し、集計結果受信手段が当該集計結果送信指示に対応する売上情報の集計結果を上記コンピュータの集計結果送信手段から受信する。
【０００７】
また、請求項２に記載の発明は、請求項１に記載のデータ通信システムであって、前記通信端末機器は、前記売上情報と共に、利用日情報、利用月情報又は利用場所情報を記憶する日時記憶手段を備え、前記情報送信手段は、前記売上情報と共に、前記日時記憶手段に記憶される利用日情報、利用月情報又は利用場所情報のうち少なくとも１つ以上の情報を前記コンピュータに送信し、
前記コンピュータの集計手段は、前記利用者毎の売上情報を、前記情報受信手段が前記通信端末機器の情報送信手段から受信した利用日情報、利用月情報又は利用場所情報別に集計するものである。
【０００８】
この構成では、通信端末機器の日時記憶手段が売上情報と共に、利用日情報、利用月情報又は利用場所情報を記憶し、情報送信手段によって、この売り上げ情報と共に、利用日情報、利用月情報又は利用場所情報のうち少なくとも１つ以上の情報が上記コンピュータに対して送信され、コンピュータにおいては、情報受信手段が通信端末機器の情報送信手段から受信した利用日情報、利用月情報又は利用場所情報別に、集計手段によって利用者毎の売上情報が集計されるようになっている。
【０００９】
また、請求項３に記載の発明は、画像形成装置と、これにネットワーク接続されたコンピュータとからなるデータ通信システムであって、
前記画像形成装置は、外部操作によるパスワードの入力を受け付けるパスワード受付手段と、パスワード受付手段で受け付けられたパスワードから特定の利用者を判別する利用者判別手段と、原稿上の画像を読み取る画像読取手段と、前記画像読取手段によって読み取られた画像を文字データに変換するデータ変換手段と、データ変換手段によって変換された文字データに所定の記号が含まれるかを判断し、所定の記号が含まれる場合には、この記号に続く数字データに、前記利用者判別手段によって判別された利用者を特定するためのＩＤ情報を付して、ネットワーク接続されたコンピュータに送信する各種情報送信手段とを有し、
前記コンピュータは、前記画像形成装置の各種情報送信手段から前記数字データ及びＩＤ情報を受信する情報受信手段と、この情報受信手段によって受信された前記数字データを前記ＩＤ情報によって特定される利用者毎に集計する集計手段と、この集計手段によって集計された利用者毎の集計結果を前記画像形成装置に送信する集計結果送信手段とを有し、
前記画像形成装置は、前記コンピュータの集計結果送信手段から、前記集計手段によって集計された利用者毎の集計結果を受信する集計結果受信手段を備えたものである。
【００１０】
この構成では、画像形成装置において、パスワード受付手段がパスワードの入力を受け付けると、利用者判別手段が当該パスワードから特定の利用者を判別すると共に、画像読取手段で読み取られた画像がデータ変換手段によって文字データに変換され、各種情報送信手段が当該変換後の文字データに所定の記号が含まれると判断すると、この記号に続く数字データに、上記利用者判別手段によって判別された利用者を特定するためのＩＤ情報を付してコンピュータに送信する。一方、コンピュータでは、情報受信手段が画像形成装置の各種情報送信手段から上記数字データ及びＩＤ情報を受信すると、集計手段が当該数字データをＩＤ情報によって特定される利用者毎に集計し、集計結果送信手段が、当該集計された利用者毎の集計結果を画像形成装置に送信するようになっている。
【００１１】
そのため、画像形成装置にパスワードを入力すると共に、例えば、店舗で受け取ったレシート等に印字されている金額部分を画像読取手段に読み取らせると、読み取られた画像データを変換した数字データと、利用者を特定するためのＩＤ情報とがネットワーク上のコンピュータに送信され、このコンピュータで利用者毎に売上情報が集計された後、画像形成装置に当該集計結果が送られてくることになる。
【００１２】
また、請求項４に記載の発明は、請求項３に記載のデータ通信システムであって、前記画像形成装置の画像読取手段は第１及び第２の画像読取位置を備え、前記データ変換手段は、前記画像読取手段によって読み取られた第１画像読取位置の画像データを文字データに変換し、前記各種情報送信手段は、このデータ変換手段によって変換された文字データに含まれる数字データに、前記画像読取手段によって読み取られた第２画像読取位置の画像のデータを関連付けて前記コンピュータに送信し、
前記コンピュータは、前記情報受信手段によって前記画像形成装置から受信された第２画像読取位置の画像のデータが、予め登録されている複数の画像のデータの中でいずれに一致するかを判別する画像判別手段を備え、前記集計手段は、利用者毎に集計した数字データを、更に該画像判別手段によって判別された画像別に集計するものである。
【００１３】
この構成では、画像読取手段の第１画像読取位置で読み取られた画像のデータが、データ変換手段によってデータ変換されて集計手段による集計の対象となると共に、画像読取手段の第２画像読取位置で読み取られた画像のデータが、コンピュータの画像判別手段によって、予め登録されている複数の画像のデータのいずれかに一致すると判別されると、この画像別に数字データが集計手段によって集計されるようになっている。よって、第２画像読取位置で、レシートに記載されている店舗や法人の識別標識が読み取られるようにすれば、店舗毎や法人毎に、データ変換手段が変換した数字データ（出費金額）を集計することが可能になる。
【００１４】
また、請求項５に記載の発明は、請求項１乃至請求項４のいずれかに記載のデータ通信システムであって、前記画像形成装置は、前記集計結果受信手段によって受信された集計結果を印刷する印刷手段を備えたものである。
【００１５】
この構成では、画像形成装置において、印刷手段によって、集計結果受信手段がコンピュータから受信した集計結果が印刷されるようになっている。
【００１６】
また、請求項６に記載の発明は、請求項１乃至請求項５のいずれかに記載のデータ通信システムであって、前記画像形成装置は、前記集計結果受信手段によって受信された集計結果を、外部接続された通信機器に出力するデータ出力手段を備えたものである。
【００１７】
この構成では、画像形成装置において、データ出力手段によって、集計結果受信手段がコンピュータから受信した集計結果が外部接続された通信機器に出力されるようになっている。
【００１８】
また、請求項７に記載の発明は、請求項１至請求項６のいずれかに記載のデータ通信システムであって、前記画像形成装置は、前記集計結果受信手段によって受信された集計結果を表示する表示手段を備えたものである。
【００１９】
この構成では、画像形成装置において、表示手段によって、集計結果受信手段がコンピュータから受信した集計結果が表示されるようになっている。
【００２０】
また、請求項８に記載の発明は、請求項７に記載のデータ通信システムであって、前記画像形成装置は、前記表示手段に表示されている集計結果を修正する修正データが外部操作によって入力される修正データ入力手段を備えたものである。
【００２１】
この構成では、画像形成装置の修正データ入力手段に、表示手段に表示されている集計結果を修正する修正データが入力されると、コンピュータの集計結果送信手段から受信した集計結果が修正される。
【００２２】
また、請求項９に記載の発明は、外部操作によるパスワードの入力を受け付けるパスワード受付手段と、パスワード受付手段で受け付けられたパスワードから特定の利用者を判別する利用者判別手段と、原稿上の画像を読み取る画像読取手段と、前記画像読取手段によって読み取られた画像を文字データに変換するデータ変換手段と、データ変換手段によって変換された文字データに所定の記号が含まれる場合に、この記号に続く数字データに、前記利用者判別手段によって判別された利用者を特定するためのＩＤ情報を付して、ネットワーク接続されたコンピュータに対して送信する各種情報送信手段と、この各種情報送信手段から前記コンピュータに送信した利用者毎の数字データの集計結果を当該コンピュータから受信する集計結果受信手段とを備えたことを特徴とする画像形成装置である。
【００２３】
この構成では、パスワード受付手段がパスワードの入力を受け付けると、利用者判別手段が当該パスワードから特定の利用者を判別すると共に、画像読取手段で読み取られた画像がデータ変換手段によって文字データに変換され、各種情報送信手段が当該変換後の文字データに所定の記号が含まれると判断した場合には、この記号に続く数字データに、上記利用者判別手段によって判別された利用者を特定するためのＩＤ情報を付して、コンピュータに送信する。そして、このコンピュータに対して送信した数字データの集計結果を、集計結果受信手段がコンピュータから受信するようになっている。
【００２４】
そのため、画像形成装置にパスワードを入力すると共に、例えば、店舗で受け取ったレシート等に印字されている金額部分を読み取らせると、読み取られた画像データが数字データに変換されて、利用者を特定するためのＩＤ情報が付された状態でネットワーク上のコンピュータに送信され、このコンピュータで集計された利用者毎の数字データの集計結果が画像形成装置に送られてくることになる。
【００２５】
また、請求項１０に記載の発明は、請求項９に記載の画像形成装置であって、前記集計結果受信手段によって受信された集計結果を印刷する印刷手段を更に備えたものである。
【００２６】
この構成では、印刷手段によって、集計結果受信手段がコンピュータから受信した集計結果が印刷されるようになっている。
【００２７】
また、請求項１１に記載の発明は、請求項９又は請求項１０に記載の画像形成装置であって、前記集計結果受信手段によって受信された集計結果を、外部接続された通信機器に出力するデータ出力手段を更に備えたものである。
【００２８】
この構成では、データ出力手段によって、集計結果受信手段がコンピュータから受信した集計結果が外部接続された通信機器に出力されるようになっている。
【００２９】
また、請求項１２に記載の発明は、請求項９乃至請求項１１のいずれかに記載の画像形成装置であって、前記集計結果受信手段によって受信された集計結果を表示する表示手段を更に備えたものである。
【００３０】
この構成では、表示手段によって、集計結果受信手段がコンピュータから受信した集計結果が表示されるようになっている。
【００３１】
また、請求項１３に記載の発明は、請求項１２に記載の画像形成装置であって、前記表示手段に表示されている集計結果を修正する修正データが外部操作によって入力される修正データ入力手段を備えたものである。
【００３２】
この構成では、修正データ入力手段に、表示手段に表示されている集計結果を修正する修正データを入力すると、コンピュータの集計結果送信手段から受信した集計結果が修正される。
【発明の効果】
【００３３】
請求項１に記載の発明によれば、通信端末機器に入力された利用者毎の売上情報がネットワーク上のコンピュータに送信されて、このコンピュータで利用者毎に売上情報が集計され、このコンピュータから画像形成装置に利用者の売上情報の集計結果が送られてくるので、コンピュータへのデータ入力作業や、計算及び帳面書き込み作業を行うことなく、簡単な操作で出費金額を集計することができ、また、コンピュータから送られたきた集計結果を画像形成装置において、表示したり、印刷したり、或いは、外部接続された通信機器にデータを出力して保存させる等の処理を行うことも可能になる。
【００３４】
請求項２に記載の発明によれば、画像形成装置において、利用日情報、利用月情報又は利用場所情報別に集計された利用者別の集計結果が得られるので、ユーザは、利用日別、利用月別又は利用場所別に出費を集計する場合であっても、特別な操作を要することがない。
【００３５】
請求項３に記載の発明によれば、画像形成装置にパスワードを入力すると共に、例えば、店舗で受け取ったレシート等に印字されている金額部分を読み取らせると、読み取られた画像データが変換された数字データと、利用者を特定するためのＩＤ情報とがネットワーク上のコンピュータに送信され、このコンピュータで利用者毎に売上情報が集計された後、画像形成装置に当該集計結果が送られてくるので、通信端末機器を備えていなくても、コンピュータへのデータ入力作業や、計算及び帳面書き込み作業を行うことなく簡単な操作で出費金額を集計することができる。また、画像形成装置において、コンピュータから送られたきた集計結果を表示したり、印刷したり、或いは、外部接続された通信機器にデータを出力して保存させる等の処理を行うことも可能になる。
【００３６】
請求項４に記載の発明によれば、画像読取装置の画像読取手段の第２画像読取位置で、レシートに記載されている法人識別標識等が読み取られるようにすれば、法人毎に数字データ（出費金額）を集計することができるので、利用場所（購入先）別に出費金額を集計したい場合における操作が簡単になる。
【００３７】
請求項５に記載の発明によれば、画像形成装置において、コンピュータから受信した集計結果の印刷物を入手することができるので、ユーザは、計算及び帳面書き込み作業を行うことなく、紙媒体で集計結果を保存することができる。
【００３８】
請求項６に記載の発明によれば、画像形成装置において、コンピュータから受信した集計結果を外部接続された通信機器に出力できるので、ユーザは、当該通信機器へのデータ入力作業を行うことなく、簡単に集計結果を当該通信機器に保存することができる。
【００３９】
請求項７に記載の発明によれば、画像形成装置の表示手段によって、コンピュータから受信した集計結果をユーザが確認できる。
【００４０】
請求項８に記載の発明によれば、ユーザは、画像形成装置の修正データ入力手段で集計結果を修正できるので、コンピュータから受信した集計結果が誤っていた場合であっても、簡単に当該集計結果を修正することができる。
【００４１】
請求項９に記載の発明によれば、画像形成装置にパスワードを入力すると共に、例えば、店舗で受け取ったレシート等に印字されている金額部分を読み取らせると、読み取られた画像データが変換された数字データと、利用者を特定するためのＩＤ情報とがネットワーク上のコンピュータに送信され、このコンピュータで集計された利用者毎の売上情報の集計結果が画像形成装置に送られてくるので、コンピュータへのデータ入力作業や、計算及び帳面書き込み作業を行うことなく簡単な操作で出費金額を集計することができる。また、コンピュータから送られたきた売上情報の集計結果を画像形成装置において、表示したり、印刷したり、或いは、外部接続された通信機器にデータを出力して保存させる等の処理を行うことも可能になる。
【００４２】
請求項１０に記載の発明によれば、コンピュータから受信した集計結果の印刷物を入手することができるので、ユーザは、計算及び帳面書き込み作業を行うことなく、紙媒体で集計結果を保存することができる。
【００４３】
請求項１１に記載の発明によれば、コンピュータから受信した集計結果を外部接続された通信機器に出力できるので、ユーザは、当該通信機器へのデータ入力作業を行うことなく、簡単に集計結果を当該通信機器に保存することができる。
【００４４】
請求項１２に記載の発明によれば、表示手段によって、コンピュータから受信した集計結果をユーザが確認できる。
【００４５】
請求項１３に記載の発明によれば、ユーザは、修正データ入力手段で集計結果を修正することができるので、コンピュータから受信した集計結果が誤っていた場合であっても、簡単に当該集計結果を修正することができる。
【発明を実施するための最良の形態】
【００４６】
（第１実施形態）
以下、本発明の一実施形態に係るデータ通信システム及び画像形成装置について図面を参照して説明する。図１は本発明に係るデータ通信システムの全体構成図である。本発明に係るデータ通信システム１は、ＰＯＳ端末２１，２２，２３…と、サーバ３と、複合機４１，５１，６１とを備えている。なお、データ通信システム１を構成するＰＯＳ端末及び複合機の台数は問わない。
【００４７】
データ通信システム１は、ＰＯＳ（point of sales）端末２１，２２，２３…に利用者毎の売上情報等の各種情報が入力されると、この売上情報等の各種情報が当該ＰＯＳ端末２１等からインターネット上のサーバ３に送信されて、当該サーバ３で蓄積及び集計されるものである。この売上情報とは、商品名や価格等の情報であり、例えば、利用者が店舗等で購入する商品等にバーコード化される等により付されているものである。なお、本願におて、売上情報の集計又は集計結果という場合は、特に限定しない限り、売上情報に含まれる価格情報の和を算出すること又はその算出結果、さらに、商品等別に分別した価格情報や、商品毎の価格情報の和などを意味する。
【００４８】
また、データ通信システム１は、コンビニエンスストア４、プリントステーション５、ホテル６に設置された複合機４１，５１，６１からサーバ３が売上情報の集計結果の送信指示を受信した場合に、この売上情報送信指示に対応する売上情報の集計結果が、サーバ３から、売上情報送信指示を送信してきた複合機４１等に送信され、複合機４１等が売上情報集計結果を受信すると、当該売上情報集計結果の表示や印刷、又は外部接続された通信機器へのデータ出力が行われるようになっている。
【００４９】
ＰＯＳ端末（請求項でいう通信端末機器）２１等は、流通業等において取引が行われた時点で情報を収集及び管理する端末機器であり、例えば、バーコードをバーコードリーダ（スキャナ）で読み取ることにより、商品名や価格、顧客情報等のデータが即時に入力されるものである。ＰＯＳ端末２１等は、販売時点でデータを収集するため、ＰＯＳ機能を備えたパーソナルコンピュータベースのレジスタで構成されることが好ましい。ＰＯＳ端末２１等は、インターネットを介してサーバ３に接続され、このサーバ３との間で各種データの送受信が可能に構成されている。
【００５０】
サーバ（請求項でいうネットワーク上のコンピュータ）３は、ＰＯＳ端末２１等及び複合機４１等とインターネット等によりネットワーク接続されており、これら各機器との間で各種情報の送受信が可能とされている。上述したように、サーバ３は、ＰＯＳ端末２１等から受信した売上情報を保存及び集計して、この集計結果を複合機４１等に送信する役割を果たす。
【００５１】
コンビニエンスストア４、プリントステーション５、ホテル６に設置されている複合機４１，５１，６１は、サーバ３とインターネット等のネットワークを介して接続され、サーバ３との間で、利用者別の売上情報集計結果等の各種情報の送受信が可能となっている。また、複合機４１等は、サーバ３から受信した上記売上情報の表示や印刷、また、外部接続された通信機器（携帯電話７、ＰＤＡ（personal digital assistants）８、ノート型パーソナルコンピュータ９等、以下同じ）へのデータ出力する機能を備えている。また、複合機４１等は、ユーザによる外部操作で入力されるパスワードを受け付けて、このパスワードに基づいて特定の利用者を判別する機能も備えている。
【００５２】
図２はＰＯＳ端末２１等の概略構成を示すブロック図である。ＰＯＳ端末２１，２２，２３…はそれぞれ同様の構成なので、以下にはＰＯＳ端末２１を例にして説明する。ＰＯＳ端末２１は、ＰＯＳ端末２１の各部の動作制御を司る制御部２１１と、各種の動作プログラムが記憶されているＲＯＭ２１２と、制御部２１１の動作領域等として使用されるＲＡＭ２１３と、ユーザによる手動操作で外部からの指示入力を受け付ける操作部２１４と、サーバ３等との各種データ送受信を行うためのインタフェイスとして機能する通信Ｉ／Ｆ２１５と、ＬＣＤ（liquid crystal display）等からなり、ユーザに対する操作案内メッセージや、サーバ３から受信した売上情報の内容等が表示される表示部２１６とを備える。
【００５３】
操作部２１４は、テンキー（識別情報受付手段、売上情報受付手段）２１４１、バーコードリーダ（売上情報受付手段）２１４２及びカードリーダ（識別情報受付手段）２１４３を備える。テンキー２１４１は、手動により数字等のデータが入力されるものである。バーコードリーダ２１４２は、商品等に付されたバーコードを読み取るものであり、バーコードに表された商品名や価格等の売上情報の入力を受け付ける。なお、この売上情報（特に、価格や店舗コード等の数字化されたデータ）は、テンキー２１４１から手動操作により入力することも可能とされている。なお、請求項でいう識別情報受付手段としては、上記テンキー２１４１、バーコードリーダ２１４２又はカードリーダ２１４３のいずれか１つか備えられているのみでも足りる。
【００５４】
カードリーダ２１４３は、クレジットカードや会員カード等のカード表面に磁気記録媒体が付されたカード類から、その磁気記録媒体に記録されている個人識別情報（特定の利用者を識別するために必要な情報を意味する）を読み取って入力するものである。なお、この個人識別情報は、テンキー２１４１から手動操作で入力することも可能とされている。
【００５５】
制御部２１１は、情報送信部（情報送信手段）２１１１及び日時記憶部（日時記憶手段）２１１３を備えている。情報送信部２１１１は、ネットワーク接続されたサーバ３に対して、上述した売上情報等の各種情報を送信するために必要な各処理を行うものである。日時記憶部２１１２は、カードリーダ２１４３又はテンキー２１４１からの個人識別情報の入力と、バーコードリーダ２１４２又はテンキー２１４１からの入力が行われた日時や場所等の情報（以下、関連情報という）を記憶する。
【００５６】
なお、制御部２１１に備えられている情報送信部２１１１及び日時記憶部２１１２は、個別の回路等で構成されていてもよいし、また、ＲＯＭ２１２等に記憶されている動作プログラムに従って、１つのＣＰＵが制御部２１１、情報送信部２１１１及び日時記憶部２１１２の各機能を実行する構成としてもよい。
【００５７】
図３はサーバ３の概略構成を示すブロック図である。サーバ３は、サーバ３の各部の動作制御を司る制御部３１と、各種の動作プログラムが記憶されているＲＯＭ３２と、制御部３１の動作領域等として使用されるＲＡＭ３３と、ＰＯＳ端末２１等から受信した個人識別情報及び売上情報等の各種データを記憶するＨＤＤ３４と、ＨＤＤ３４の動作を制御するＨＤＤ制御回路３５と、ＰＯＳ端末２１等及び複合機４１等との各種データ送受信を行うためのインタフェイスとして機能する通信Ｉ／Ｆ３６とを備える。
【００５８】
制御部３１は、情報受信部（情報受信手段）３１１、集計部（集計手段）３１２、及び集計結果送信部（集計結果送信手段）３１３を備えている。情報受信部３１１は、ＰＯＳ端末２１等の情報受信部３１１から個人識別情報及び売上情報を受信し、複合機４１等からは売上情報送信指示を受信するために必要な処理を行う。この情報受信部３１１が受信した売上情報及び個人識別情報は制御部３１によってＨＤＤ３４に記憶される。
【００５９】
集計部３１２は、ＨＤＤ３４に記憶されている売上情報を、個人識別情報によって特定される利用者毎に集計するものであり、情報受信部３１１がＰＯＳ端末２１等から受信する上記関連情報に基づいて、上記利用者毎に集計された売上情報を、更に利用日別（利用日時別でもよい）、利用月別、利用場所別等に集計する処理も行うようになっている。なお、売上情報の集計結果も制御部３１によりＨＤＤ３４に記憶されるようになっている。
【００６０】
集計結果送信部３１３は、上記情報受信部３１１が複合機４１等から受信した売上情報集計結果送信指示に対応する売上情報集計結果を、複合機４１等に送信するために必要な処理を行うものである。
【００６１】
なお、制御部３１に備えられる情報受信部３１１、集計部３１２及び集計結果送信部３１３は、それぞれが個別に回路等で構成されていてもよいし、また、ＲＯＭ３２又はＨＤＤ３４等に記憶されている動作プログラムに従って、１つのＣＰＵが制御部３１、情報受信部３１１、集計部３１２及び集計結果送信部３１３として動作する構成としてもよい。
【００６２】
図４は複合機４１等の概略構成を示す図である。複合機４１，５１，６１はそれぞれ同様の構成なので、以下には複合機４１を例にして説明する。複合機４１は、複合機４１の各部の動作制御を司る制御部４１１と、各種の動作プログラムが記憶されているＲＯＭ４１２と、制御部４１１の動作領域等として使用されるＲＡＭ４１３と、ユーザによる手動操作で外部からの指示入力を受け付ける操作部４１４と、サーバ３等との各種データ送受信を行うためのインタフェイスとして機能する通信Ｉ／Ｆ４１５と、ＬＣＤ（liquid crystal display）等からなり、ユーザに対する操作案内メッセージや、サーバ３から受信した売上情報の内容等が表示される表示部４１６と、ＣＣＤ等を有する小型撮像装置等からなる画像読取部４１７と、サーバ３から受信した売上情報の内容や、画像読取部４１７によって読み取られた画像データの内容を印刷する画像形成ユニットからなる印刷部４１８と、外部接続された通信機器に売上情報集計結果等のデータを出力するための外部機器接続Ｉ／Ｆ４１９とを備える。この外部機器接続Ｉ／Ｆ４１９は、USB（universal serial bus）やBluetooth（登録商標）等、外部接続された通信機器との間でデータ通信が可能なインタフェイスの全てを含むものとする。
【００６３】
操作部（パスワード受付手段、修正データ入力手段）４１４は、テンキーや、表示部４１６のＬＣＤパネル表面に設けられたタッチパネル等の入力機構から、ユーザの外部操作により、複合機４１のデータ通信動作を許可するか否かを判断するためのパスワードの入力、及び売上情報の修正データの入力が可能となっている。
【００６４】
制御部４１１は、利用者判別部（利用者判別手段）４１１１と、集計結果送信指示送信部（集計結果送信指示送信手段）４１１２と、集計結果受信部（集計結果受信手段）４１１３と、データ出力部（データ出力手段）４１１４を備えている。
【００６５】
利用者判別部４１１１は、操作部４１４で受け付けられたパスワードに基づいて特定の利用者を判別するものである。
【００６６】
集計結果送信指示送信部４１１２は、利用者判別部４１１１によって判別された特定の利用者の売上情報集計結果の送信指示をサーバ３に送信するために必要な処理を行うものである。集計結果受信部４１１３は、集計結果送信指示送信部４１１２から送信した売上情報送信指示に対応する売上情報の集計結果を、サーバ３の集計結果送信部３１３から受信するために必要な処理を行う。データ出力部４１１４は、集計結果受信部４１１３が通信Ｉ／Ｆ４１５を介してサーバ３から受信した売上情報集計結果を、外部接続された通信機器に出力するものである。
【００６７】
なお、制御部４１１に備えられる利用者判別部４１１１、集計結果送信指示送信部４１１２、集計結果受信部４１１３及びデータ出力部４１１４は、それぞれが個別に回路等で構成されていてもよいし、また、ＲＯＭ４１２等に記憶されている動作プログラムに従って、１つのＣＰＵが制御部４１１、利用者判別部４１１１、集計結果送信指示送信部４１１２、集計結果受信部４１１３及びデータ出力部４１１４として動作する構成としてもよい。
【００６８】
次に、データ通信システム１によるデータ通信処理について説明する。図５はデータ通信システム１によるデータ通信処理の概略を示すフローチャートである。利用者がコンビニエンスストア４等で買い物をしたときに、そのコンビニエンスストア４等に設置されているＰＯＳ端末２１の操作部２１４に個人識別情報及び売上情報が入力され、これら各情報が受け付けられると（Ｐ１）、日時記憶部２１１２が当該個人識別情報及び売上情報が受け付けられた日時や場所等の情報を記憶し（Ｐ２）、情報送信部２１１１は、当該個人識別情報及び売上情報と、日時記憶部２１１２によって記憶された上記日時や場所等の情報（又は少なくともこれらのうち１つ以上の情報）からなる関連情報を通信Ｉ／Ｆ２１５を介してサーバ３に送信する（Ｐ３）。
【００６９】
上記個人識別情報は、クレジットカードや各店舗が発行する会員カード等の磁気記録部分に記録されている個人識別情報を利用することとして、カードリーダ２１４３によって当該磁気記録部分を読み取って入力してもよいし、クレジットカードや会員カード等に記録されている個人識別情報を利用することなく、当該データ通信処理固有の個人識別番号を使用することとして、この固有の個人識別番号をテンキー２１４１から操作者が手動で入力するようにしてもよい。また、上記売上情報も、バーコードリーダ２１４２によってバーコードから読み取って入力する他、操作者が手動で操作部２１４のテンキー２１４１から入力してもよい。
【００７０】
サーバ３が、上記個人識別情報、売上情報及び関連情報をＰＯＳ端末２１から受信すると（ＳＶ１）、制御部３１が、上記売上情報を個人識別情報及び関連情報と関連付けてＨＤＤ３４に記憶させ（ＳＶ２）、集計部３１２は、今回受信した売上情報に含まれる価格情報と、それまでにＨＤＤ３４に保存されている売上情報の価格情報とを累積計算して総和を算出する等の処理を行うことによって、売上情報を利用者毎に集計する（ＳＶ３）。この集計は、売上情報に関連付けられている上記利用場所や利用日（利用日時）、利用月の情報に関わらず全ての売上情報を集計してもよいし、利用場所や利用日（利用日時）、利用月別に集計してもよいし、或いは、これら両方の集計を行うようにしてもよい。これらの売上情報集計結果は、制御部３１がＨＤＤ３４に保存させる。
【００７１】
複合機４１において、ユーザの操作により操作部４１４にパスワードが入力されて受け付けられると（Ｆ１）、利用者判別部４１１１は、当該パスワードから特定の利用者を判別する（Ｆ２）。この利用者判別処理は、例えば、利用者判別部４１１１が有するパスワードと利用者名との関係を示すデータテーブル等に基づいて利用者を特定する、等の処理によって行われる。
【００７２】
このようにして利用者が判別されると、集計結果送信指示送信部４１１２は、この利用者についての売上情報の集計送信を要求する指示（すなわち、集計結果送信指示）を通信Ｉ／Ｆ４１５を介してサーバ３に送信する（Ｆ３）。この複合機４１からの集計結果送信指示をサーバ３の情報受信部３１１が受信すると（ＳＶ４）、集計結果送信部３１３は、ＨＤＤ３４に記憶されている、当該売上情報送信指示によって特定される利用者についての売上情報の集計結果を、通信Ｉ／Ｆ３６を介して複合機４１に対して送信する（ＳＶ５）。
【００７３】
複合機４１において、上記サーバ３からの売上情報集計結果が集計結果受信部４１１３で受信されると、制御部４１１は当該売上情報集計結果を表示部４１６に表示させる（Ｆ４）。そして、制御部４１１は、操作部４１４からの修正データ（売上情報の集計結果を修正又は変更したい場合における修正又は変更後の売上情報集計結果を示す数字データ等）の入力が受け付けられている場合は（Ｆ５でＹＥＳ）、サーバ３から受信した売上情報集計結果を上記入力された修正データの内容に修正する（Ｆ６）。
【００７４】
修正データの入力が受け付けられていない場合（Ｆ５でＮＯ）、又は、上記Ｆ６の修正処理後、制御部４１１は、操作部４１４からユーザによって入力された指示に応じて（Ｆ７）、上記売上情報集計結果又は修正後の集計結果を、外部機器接続Ｉ／Ｆ４１９に接続された機器にデータ出力部４１１４から出力させる（Ｆ７で「外部機器」，Ｆ８）、又は印刷部４１８に印刷させるようにし（Ｆ７で「印刷」，Ｆ９）、或いは、ユーザから操作部４１４に、外部接続機器への出力も、印刷も行わない旨の指示が入力された場合は（Ｆ７で「出力なし」）、上記外部接続機器への出力及び印刷のいずれも行わずに処理を終了する。
【００７５】
（第２実施形態）
次に、本発明にかかるデータ通信システムの第２実施形態を説明する。図６は本発明に係るデータ通信システムの全体構成図、図７は第２実施形態にかかるデータ通信システム１０の概略構成を示すブロック図である。上記第１実施形態では、データ通信システム１は、ＰＯＳ端末２１等、サーバ３及び複合機４１等から構成されているが、第２実施形態にかかるデータ通信システム１０は、図６及び図７に示すように、ＰＯＳ端末を有さず、サーバ及び複合機とで構成される。なお、第２実施形態にかかるデータ通信システム１０に適用されるサーバの構成は、第１実施形態に適用されるサーバ３と同様の構成であるため、第１実施形態と同符号を付して説明を省略する。
【００７６】
第２実施形態に係るデータ通信システム１０に適用される複合機７１は、図７に示す構成を有している。この図７に示す複合機７１の構成において、第１実施形態に係るデータ通信システム１の複合機４１と同様の構成要素には同符号を付して説明を省略する。
【００７７】
複合機７１の制御部７１１は、データ変換部（データ変換手段）７１１１、画像判別部（画像判別手段）７１１２、日時記憶部７１１３、情報送信部７１１４、利用者判別部４１１１、集計結果送信指示送信部４１１２、集計結果受信部４１１３及びデータ出力部４１１４を備えている。
【００７８】
画像読取部４１７Ａには、第１及び第２の画像読取位置が定められている。画像読取部４１７Ａの第１画像読み取り部で読み取られた画像のデータがデータ変換部７１１１によって文字データに変換され、第２画像読取位置で読み取られた画像のデータは画像判別部７１１２によって、予め登録されている複数の画像のデータ（例えば、店舗名や法人名を示す文字の形状やロゴ、マークを示すもの等）のいずれに一致するかが判別されるようになっている。
【００７９】
データ変換部７１１１は、ＯＣＲ（Optical Character Reader）機能等を備え、画像読取部４１７Ａの第１画像読取位置で読み取られた画像のデータを文字データに変換する。画像判別部７１１２は、予め登録された複数の画像のデータを保有しており、画像読取部４１７の第２画像読取位置で読み取られた画像のデータが、予め登録されている複数の画像のデータのいずれに一致するかを、いわゆるパターンマッチング機能等により判別するものである。この複数の画像のデータは、例えば、店舗名や法人名を示す文字の形状やロゴ、マークを示すもの等であり、画像判別部３１４の上記判別によって、店舗等で受け取ったレシートに記載されている店舗名や法人名を示す文字やロゴ等が画像読取部４１７Ａで読み取られると、店舗名や法人名（すなわち、利用者が買い物を行った場所等）を識別できるようになっている。
【００８０】
なお、画像判別部７１１２は、上記複数の画像データを画像判別部７１１２で記憶する構成の他、ＲＯＭ４１２やＲＡＭ４１３、さらには、複合機７１がＨＤＤを備える場合はＨＤＤ等、他の記憶装置に上記複数の画像データを記憶させるようにしてもよい。この場合は、上記複数の画像データを記憶させた記憶装置も、請求項でいう画像判別手段として機能することになる。日時記憶部７１１３は、画像読取部４１７Ａによる画像読取が実行された日時を記憶するものである。
【００８１】
情報送信部７１１４は、データ変換部７１１１によって変換された文字データに所定の記号が含まれる場合に、この記号に続く数字データに、利用者判別部４１１１によって判別された利用者を特定するためのＩＤ情報を付して、サーバ３に対して送信するものである。このＩＤ情報は、例えば、特定の利用者を識別できる情報を新たに作成したものでもよいし、操作部４１４に入力された上記パスワードをＩＤ情報として用いてもよい。
【００８２】
次に、第２実施形態に係るデータ通信システム１０によるデータ通信処理について説明する。図８はデータ通信システム１０によるデータ通信処理の概略を示すフローチャートである。複合機７１において、ユーザによる操作で、操作部４１４に当該データ通信処理の実行許可を求めるパスワードが入力され、当該パスワードが受け付けられると（Ｆ１１）、制御部７１１は、画像読取部４１７Ａの画像読取動作を許可し、画像読取部４１７Ａによる第１及び第２画像読取位置での画像読取を行わせる（Ｆ１２）。この画像読取の日時は、日時記憶部７１１３によって記憶される（Ｆ１３）。
【００８３】
この画像読取部４１７Ａの第１画像読取位置とは、例えば、画像読取部４１７Ａの原稿読取面（画像読取部４１７Ａがスキャナ等からなる場合には、原稿読取ガラス面等）における所定位置、例えば、図９に示す矩形部４１７１をいう。また、第２画像読取位置とは、画像読取部４１７Ａの上記画像読取面における所定位置、例えば、図９に示す矩形部４１７２をいう。なお、画像読取部４１７Ａにおける第１及び第２画像読取位置は、その位置を適宜変更して設定可能である（画像読取部４１７Ａの画像読取範囲内のどの位置に設定することも可能である）。そして、上記第１画像読取位置で、店舗等で受け取るレシート（図１０）に記載されている合計金額表示部分が読み取られ、第２画像読取位置で上記レシートに記載されている店舗マーク部分が読み取られるように、図１１に示すように、レシートを画像読取部４１７Ａの原稿読取面に載置して、第１画像読取位置でレシートの金額記載部分が、第２画像読取位置でレシートの店舗名のロゴ等が読み取られるようにする。
【００８４】
上記の店舗マークと合計金額表示部分は、第１及び第２画像読取位置において同時に読み取らせる必要はなく、個別に各画像読取位置に合わせて、それぞれの画像が別個の読取動作で読み取られるようにしてもよい。なお、第１及び第２画像読取位置における各画像読取時刻が異なる場合は、遅い方の時刻が登録されるようにする等の処理を行うことが好ましい。
【００８５】
上記画像読取部４１７Ａの第１及び第２画像読取位置による画像読取後、データ変換部７１１１が、第１画像読取位置で読み取られた画像データを文字データに変換する（Ｆ１４）。制御部７１１は、第１画像読取位置の画像データを変換した後の文字データに所定の記号等（上述した「合計」「円」「￥」等）が有るか否かを判断する（Ｆ１５）。ここで、当該変換後の文字データに所定の記号が含まれていない場合は（Ｆ１５でＮＯ）、制御部７１１は、金額を示す数字データを確認できない旨等からなるエラーメッセージを表示部４１６に表示させる（Ｆ１６）。これは、画像読取部４１７Ａに読み込ませた画像が、金額を示す数字データとして認識されなかったことをユーザに認識させ、ユーザに操作部４１４から手動で新たな数字データを入力させることを促すものである。
【００８６】
ここで、ユーザによって操作部４１４から手動で新たな数字データが入力されない場合は（Ｆ１７でＮＯ）、制御部７１１は処理を終了させる。ユーザにより操作部４１４から新たな数字データが入力された場合は（Ｆ１７でＹＥＳ）、画像判別部７１１２が、第２画像読取位置で読み取られた上記画像のデータと、画像判別部７１１２に予め登録されている複数の画像のデータのいずれかとが一致するかを判別する（Ｆ１８）。上述したように、この複数の画像のデータは、例えば、店舗名や法人名を示す文字の形状やロゴ、マークを示すもの等であるため、画像判別部７１１２の当該判別処理によって、店舗等で受け取ったレシートに記載されている店舗名や法人名が識別される。
【００８７】
なお、第１画像読取位置の画像データを変換した後の文字データに上記所定の記号が含まれていた場合は（Ｆ１５でＹＥＳ）、Ｆ１６及びＦ１７の処理をスキップする。
【００８８】
ここで、画像判別部７１１２によって、第２画像読取位置の画像のデータが、予め登録されている複数の画像のデータのいずれかに一致しないと判別された場合は（Ｆ１８でＮＯ）、当該第２画像読取位置の画像のデータが新たな画像データとして画像判別部７１１２に登録される（Ｆ１９）。
【００８９】
上記Ｆ１８の判別処理で、画像判別部７１１２によって、第２画像読取位置で読み取られた画像のデータが、予め登録されている複数の画像のデータのいずれかに一致すると判別された場合（Ｆ１８でＹＥＳ）、又は上記新規登録処理（Ｆ１９）の後、情報送信部７１１４が、データ変換部７１１１で変換した文字データに含まれる数字データ（金額を示す数字データ）に、画像判別部７１１２によって判別された画像に関連付けて記憶されている店舗名や法人名の情報、及び、画像読み取りが行われた日時等のデータ、さらには、特定の利用者を示すためのＩＤ情報を関連付けて、これらの情報を、通信Ｉ／Ｆ４１５を介してサーバ３に送信する（Ｆ２０）。
【００９０】
サーバ３において、情報受信部３１１が、上記数字データ、店舗名や法人名の情報、日時等のデータ及びＩＤ情報を複合機７１から受信すると（ＳＶ１１）、制御部３１は、これら各データを関連付けてＨＤＤ３４に記憶させ（ＳＶ１２）、集計部３１２は、今回受信した数字データと、それまでにＨＤＤ３４に保存されている数字データとを累積計算して総和を算出する等の処理を行うことによって、売上情報を利用者毎に集計する（ＳＶ１３）。
【００９１】
上記処理が行われた後に、複合機７１の操作部４１４にユーザによりパスワードが入力された場合における、複合機７１からサーバ３に売上情報の集計結果の送信指示を送信し、複合機７１がサーバ３から受信した売上情報の集計結果を出力する処理は、上記の図５に示した、第１実施形態に係るデータ通信システム１の複合機４１によるＦ１乃至Ｆ９の処理、及びサーバ３によるＳＶ４及びＳＶ５の処理と同様である。
【００９２】
なお、本発明は上記実施の形態の構成に限られず種々の変形が可能である。例えば、上記実施形態では、データ処理システム１，１０の構成及び処理を図１乃至図１１に示しているが、これらの構成及び処理はあくまでも一例であり、本発明に係るデータ処理システム１，１０の構成及び処理は上記に限定されるものではない。
【図面の簡単な説明】
【００９３】
【図１】本発明に係るデータ通信システムの全体構成図である。
【図２】ＰＯＳ端末の概略構成を示すブロック図である。
【図３】サーバの概略構成を示すブロック図である。
【図４】複合機等の概略構成を示す図である。
【図５】データ通信システムによるデータ通信処理の概略を示すフローチャートである。
【図６】本発明に係るデータ通信システムの全体構成図である。
【図７】第２実施形態にかかるデータ通信システムの概略構成を示すブロック図である。
【図８】データ通信システムによるデータ通信処理の概略を示すフローチャートである。
【図９】画像読取部の画像読取面における第１及び第２画像読取位置を示す図である。
【図１０】レシートの一例を示す図である。
【図１１】レシートを画像読取部の画像読取面に載置し、第１画像読取位置に金額部分を合わせ、第２画像読取位置に店舗のマークを合わせた状態を仮想的に示した図である。
【符号の説明】
【００９４】
１，１０  データ処理システム
２１，２２，２３  ＰＯＳ端末
２１１    制御部
２１１１  情報送信部
２１１２  日時記憶部
２１４１  テンキー
２１４２  バーコードリーダ
２１４３  カードリーダ
２１４    操作部
２１６    表示部
３        サーバ
３１      制御部
３１１    情報受信部
３１２    集計部
３１３    集計結果送信部
３１４    画像判別部
４１，５１，６１  複合機
４１１    制御部
４１１１  利用者判別部
４１１２  集計結果送信指示送信部
４１１３  集計結果受信部
４１１４  データ出力部
４１４    操作部
４１６    表示部
４１７    画像読取部
４１７１  矩形部
４１７２  矩形部
４１８    印刷部
７１      複合機
７１１    制御部
７１１１  データ変換部
７１１２  画像判別部
７１１３  日時記憶部
７１１４  情報送信部
【図１】
2005157798.tif 000003
【図２】
2005157798.tif 000004
【図３】
2005157798.tif 000005
【図４】
2005157798.tif 000006
【図５】
2005157798.tif 000007
【図６】
2005157798.tif 000008
【図７】
2005157798.tif 000009
【図８】
2005157798.tif 000010
【図９】
2005157798.tif 000011
【図１０】
2005157798.tif 000012
【図１１】
2005157798.tif 000013